(57)【要約】【課題】移動端末が送信するデータの周波数帯域幅に応じて、適切な固定小数点数のフォーマットでデータを出力するＦＦＴ演算処理装置およびＦＦＴ演算処理方法を提供することである。【解決手段】本発明に係る演算処理装置は、第１のビット数の固定小数点数で表された無線信号のデータを、前記第１のビット数よりも大きい第２のビット数の固定小数点数として演算して、前記第２のビット数の固定小数点数のデータに変換するＦＦＴ演算部１０と、前記無線信号の使用周波数の程度に応じて定まるビット切り出し位置に従って、前記第２のビット数のデータから、指定ビット数のデータを切り出すビット切り出し部２０と、を備える。【選択図】図７
2012095119.tif 000002
【特許請求の範囲】
【請求項１】
第１のビット数の固定小数点数で表された無線信号のデータを、前記第１のビット数よりも大きい第２のビット数の固定小数点数として演算して、前記第２のビット数の固定小数点数のデータに変換するＦＦＴ演算部と、
前記無線信号の使用周波数の程度に応じて定まるビット切り出し位置に従って、前記第２のビット数のデータから、指定ビット数のデータを切り出すビット切り出し部と、
を備える演算処理装置。
【請求項２】
請求項１に記載の演算処理装置において、
前記ビット切り出し部は、
前記無線信号の使用周波数の程度が少ない場合は、小数点以下のビット数が少ない位置に決定された前記ビット切り出し位置に従って、または、前記無線信号の使用周波数の程度が多い場合は、小数点以下のビット数が多い位置に決定された前記ビット切り出し位置に従って、前記第２のビット数のデータから、指定ビット数のデータを切り出す演算処理装置。
【請求項３】
第１のビット数の固定小数点数で表されたアップリンク信号の時間軸のデータを、前記第１のビット数よりも大きい第２のビット数の固定小数点数として演算して、前記第２のビット数の固定小数点数の周波数軸のデータに変換するステップと、
前記アップリンク信号のリソースブロックの数を基に、前記第２のビット数の固定小数点数の周波数軸のデータから前記第１のビット数の固定小数点数の周波数軸のデータを切り出す位置を決定するステップと、
前記第２のビット数の固定小数点数の周波数軸のデータから、前記データを切り出す位置を決定するステップが決定した前記データを切り出す位置で、前記第１のビット数の固定小数点数の周波数軸のデータを切り出すステップと、
を備えることを特徴とする演算処理方法。
【請求項４】
請求項３に記載の演算処理方法において、
前記周波数軸のデータを切り出す位置を決定するステップは、前記リソースブロックの数が少ない場合は、前記第１のビット数の固定小数点数の周波数軸のデータのビット切り出し位置を小数点以下のビット数が少ない前記ビット切り出し位置に決定し、前記リソースブロックの数が多い場合は、前記第１のビット数の固定小数点数の周波数軸のデータのビット切り出し位置を小数点以下のビット数が多い前記ビット切り出し位置に決定すること、
を特徴とする演算処理方法。
【発明の詳細な説明】
【技術分野】
【０００１】
本発明は、ＯＦＤＭ方式における演算処理装置および演算処理方法に関するものである。
【背景技術】
【０００２】
ＬＴＥ（Long Term Evolution）システム等の無線通信システムにおいては、信号多重方式は、ＯＦＤＭ（Orthogonal Frequency Division Multiplexing）が採用され、無線アクセス方式は、ＯＦＤＭＡ（Orthogonal Frequency Division Multiple Access）およびＳＣＦＤＭＡ（Single Carrier Frequency Division Multiple Access）が採用されている。これらの無線アクセス方式は、高速フーリエ変換（FFT: Fast Fourier Transform）、逆高速フーリエ変換（IFFT: Inverse Fast Fourier Transform）をディジタル信号処理で実行している。時間軸の信号は、ＦＦＴにより周波数軸の信号に変換され、周波数軸の信号は、ＩＦＦＴにより時間軸の信号に変換される。
【０００３】
基地局等におけるＦＦＴ／ＩＦＦＴのディジタル信号処理は、固定小数点数で行われることが多い。固定小数点数は、整数部分に使用するビット数、および小数部分に使用するビット数をあらかじめ固定することにより、高速な演算を可能としている。
【０００４】
図１に固定小数点数の加算の具体例を示す。図１は、１０進数の2.375と5.25を、８ビットＱ３フォーマットの固定小数点数で00010.011と00101.010と表し、加算したものである。ここで、８ビットＱ３フォーマットとは、固定小数点数全体のビット数を８ビット、固定小数点数の小数点数以下のビット数を３ビットとするフォーマットである。図１に示す例の場合、加算した結果は00111.101となる。この値は、１０進数で表すと7.625であり、正確な値である。
【０００５】
図２に固定小数点数の乗算の具体例を示す。図２は、１０進数の2.375と5.25を、８ビットＱ３フォーマットの固定小数点数で表し、乗算したものである。図２に示す例の場合、乗算結果は、0001100.01111であり、これは、１２ビットＱ５フォーマットである。１２ビットＱ５フォーマットの乗算結果から、８ビットＱ３フォーマットの固定小数点数を切り出して出力すると、上位２ビットおよび下位２ビットを切り捨てて、01100.011となる。この値は１０進数で表すと12.375であり、正確な値12.46875より0.09375小さい。このように、１２ビットＱ５フォーマットの固定小数点数から、８ビットＱ３フォーマットの固定小数点数を切り出して出力すると、計算誤差が発生する。
【０００６】
ＦＦＴ／ＩＦＦＴ演算は、加算と乗算を繰り返し実行する。したがって、ＦＦＴ／ＩＦＦＴ演算を固定小数点数で実行すると、１回乗算する毎に計算誤差が発生し、乗算を繰り返すことによって計算誤差が積み重なっていく。その結果、演算結果は、最終的には大きな計算誤差を生じる。ＦＦＴ演算とＩＦＦＴ演算は、加算と乗算を繰り返すという点で同等の演算であるため、以下、ＦＦＴ演算を例に説明する。
【０００７】
図３に、ＦＦＴ演算の計算誤差を小さくするための、従来技術の一例を示す。ＦＦＴ演算部は、８ビットＱ３フォーマットの固定小数点数を受け取る。ＦＦＴ演算部は、受け取った固定小数点数を１２ビットＱ５フォーマットの固定小数点数に変換する。ＦＦＴ演算部は、変換した１２ビットＱ５フォーマットの固定小数点数を用いて１２ビットＱ５フォーマットでＦＦＴ演算を実行する。その結果、ＦＦＴ演算において乗算を繰り返しても、８ビットＱ３フォーマットで乗算を繰り返す場合に比べて計算誤差が小さい。ビット切り出し部は、ＦＦＴ演算部から、演算結果を１２ビットＱ５フォーマットで受け取る。ビット切り出し部は、１２ビットＱ５フォーマットの固定小数点数から、８ビットＱ３フォーマットの固定小数点数を切り出して出力する。このように、従来技術は、乗算が繰り返されるＦＦＴ演算を固定小数点数全体のビット数を増やして実行することによって、乗算ごとに計算誤差が積み重なり最終的に大きな計算誤差が発生することを防いでいる。
【０００８】
また、後続のディジタル処理部での計算誤差を小さくするために、ＦＦＴ演算後の信号レベルを正規化するという発明がなされている（特許文献１参照）。
【先行技術文献】
【特許文献】
【０００９】
【特許文献１】特開２０１０−１４７６０３号公報
【発明の概要】
【発明が解決しようとする課題】
【００１０】
図４に、ＬＴＥシステムにおける基地局受信装置の機能構成図を示す。基地局は、移動端末から、移動端末が基地局に送信するアップリンク信号を受信する。基地局が受信したアップリンク信号は、無線処理を行うＲＦ(Radio Frequency)部１００内のＬＮＡ(Low Noise Amplifier)１０２、ＶＧＡ(Variable Gain Amplifier)１０８により所定の電力に調整された後、ＡＤＣ（Analog to Digital Converter）によりアナログ信号からディジタル信号に変換される。ベースバンド処理を行うＢＢ（ベースバンド）部２００は、ＲＦ部１００から、変換されたディジタル信号を受け取り、ＦＦＴ演算等のベースバンド演算を実行してプロセッサ３００に信号を出力する。プロセッサ３００は、受け取った信号に対し、上位層（Ｌ２／Ｌ３等）における処理を実行する。
【００１１】
ＬＴＥシステムにおいては、移動端末と基地局との間のデータ通信に用いられる周波数帯域幅は、固定ではなく可変である。したがって、ＲＦ部１００においてＡＤＣ１１０に入力される信号を所定のレベルに調整しても、ＦＦＴ演算後の単位周波数あたりの信号レベルは、移動端末と基地局との間のデータ通信に用いられる周波数帯域幅によって異なる。
【００１２】
図５に、移動端末と基地局との間のデータ通信に用いられる周波数帯域幅とＦＦＴ処理後の単位周波数あたりの信号レベルとの関係を示す。図５（ａ）は、周波数帯域幅が広い場合を示す。図５（ｂ）は、周波数帯域幅が狭い場合を示す。図５（ａ）、図５（ｂ）の左側に示す平均電力の図は、図５（ａ）の場合と図５(ｂ)の場合のＦＦＴ処理部が受け取る信号の平均電力が同程度であることを示す。ＦＦＴ処理後は、単位周波数あたりの電力を周波数帯域幅で積分した値は、ＦＦＴ処理前の平均電力に等しくなる。したがって、図５（ａ）のように周波数帯域幅が広いときは、ＦＦＴ処理後の単位周波数あたりの電力が小さく、図５（ｂ）のように周波数帯域幅が狭いときは、ＦＦＴ処理後の単位周波数あたりの電力が大きい。
【００１３】
上記のように、データ通信に用いられる周波数帯域幅に応じてＦＦＴ処理後の単位周波数あたりの電力は異なる。したがって、周波数帯域幅が狭く、ＦＦＴ処理後の単位周波数あたりの電力が大きい場合は、固定小数点数のビット切り出し位置を上位ビット側にずらし、周波数帯域幅が広く、ＦＦＴ処理後の単位周波数あたりの電力が小さい場合は、固定小数点数のビット切り出し位置を下位ビット側にずらすことが好ましい。
【００１４】
従来技術は、ＦＦＴ演算を、固定小数点数のビット数を増やして演算することにより、乗算ごとに計算誤差が積み重なって最終的に大きな誤差が発生することを防いでいる。しかし、従来技術のビット切り出しは、ＬＴＥにおいてはデータ通信に用いられる周波数帯域幅が可変であり、周波数帯域幅に応じてビット切り出しの最適位置が異なることに対応していない。したがって、従来技術のビット切り出し位置の決定方法は、周波数帯域幅が広くＦＦＴ処理後の単位周波数あたりの電力が小さい場合に、固定小数点数の上位ビットを有効に使えていないことになる。その結果、従来技術のビット切り出し部は、ビット数を有効に使用すれば達成できる精度よりも、低い精度の値を出力している。
【００１５】
特許文献１の発明は、ＦＦＴ演算後の出力レベルを後続のディジタル処理部に対して最適になるように正規化している。しかし、この方法は、単純にデータを定数倍するに過ぎないため、データ精度は改善されない。
【００１６】
したがって、かかる点に鑑みてなされた本発明の目的は、移動端末と基地局との間のデータ通信に用いられる周波数帯域幅に応じて、適切な固定小数点数のフォーマットでデータを出力するＦＦＴ演算処理装置およびＦＦＴ演算処理方法を提供することである。
【課題を解決するための手段】
【００１７】
上述した諸課題を解決すべく、第１の発明による演算処理装置は、
第１のビット数の固定小数点数で表された無線信号のデータを、前記第１のビット数よりも大きい第２のビット数の固定小数点数として演算して、前記第２のビット数の固定小数点数のデータに変換するＦＦＴ演算部と、
前記無線信号の使用周波数の程度に応じて定まるビット切り出し位置に従って、前記第２のビット数のデータから、指定ビット数のデータを切り出すビット切り出し部と、
を備えるものである。
【００１８】
また、前記ビット切り出し部は、前記無線信号の使用周波数の程度が少ない場合は、小数点以下のビット数が少ない位置に決定された前記ビット切り出し位置に従って、または、前記無線信号の使用周波数の程度が多い場合は、小数点以下のビット数が多い位置に決定された前記ビット切り出し位置に従って、前記第２のビット数のデータから、指定ビット数のデータを切り出すことが望ましい。
【発明の効果】
【００１９】
本発明によれば、移動端末と基地局との間のデータ通信に用いられる周波数帯域幅に応じて、適切な固定小数点数のフォーマットでデータを出力するＦＦＴ演算処理装置およびＦＦＴ演算処理方法を提供することができる。
【図面の簡単な説明】
【００２０】
【図１】固定小数点数の加算の一例である。
【図２】固定小数点数の乗算の一例である。
【図３】固定小数点数におけるＦＦＴ演算とビット切り出しの一例を示す図である。
【図４】本発明の一実施形態に係るＬＴＥシステムにおける基地局受信装置の構成を図である。
【図５】ＦＦＴ演算後の単位周波数あたりの電力を示す図である。
【図６】本発明の一実施形態に係るＬＴＥシステムにおける基地局装置の構成図である。
【図７】本発明の一実施形態に係る図６に記載のＦＦＴ処理部の詳細な構成図である。
【図８】本発明の一実施形態に係るリソースブロックの使用数とビット切り出し位置の対応表を示した図である。
【図９】本発明の一実施形態に係るＦＦＴ演算後のビット切り出し位置の例を示す図である。
【発明を実施するための形態】
【００２１】
以下、本発明に係る一実施形態について、図面を参照して説明する。
【００２２】
図６は、本発明の一実施形態に係るＬＴＥシステムにおける基地局装置の構成図である。本基地局構成は、無線処理を行うＲＦ部１００、ベースバンド信号を処理するＢＢ部２００およびＬ２，Ｌ３層などの上位層における処理を行うプロセッサ３００を有する。プロセッサ３００は、移動端末と基地局との間のデータ通信に用いる周波数や周波数帯域幅などのスケジューリング情報を、伝送路状態やセル内のユーザ数などを基に決定する。
【００２３】
ＲＦ部１００は、受信信号を処理するブロックとして、ＬＮＡ１０２、ＢＰＦ(Band Pass Filter)１０４、Ｑ−Ｄｅｍｏｄ(Quadrature Demodulator)部１０６、ＶＧＡ１０８およびＡＤＣ１１０を有する。また、ＲＦ部１００は、送信信号を処理するブロックとして、ＤＡＣ(Digital to Analog Converter)１２０、ＬＰＦ(Low Pass Filter)１１８、ＱＭｏｄ(Quadrature Modulator)部１１６、ＢＰＦ１１４およびＰＡ(Power Amplifier)１１２を有する。
【００２４】
ＲＦ部１００の受信処理においては、ＬＮＡ１０２は、移動端末が送信するアップリンク信号を受信し、受信した信号を低ノイズで増幅する。ＢＰＦ１０４は、ＬＮＡ１０２から受け取った信号から、通信システムの帯域外の妨害波等を除去する。Ｑ−Ｄｅｍｏｄ部１０６は、ＢＰＦ１０４から受け取った信号を、直交する２つのベースバンド信号にダウンコンバートする。ＶＧＡ１０８は可変増幅器であり、Ｑ−Ｄｅｍｏｄ部１０６から受け取った信号を、所定の信号レベルになるように増幅する。ＡＤＣ１１０は、ＶＧＡ１０８から受け取ったアナログ信号をディジタル信号に変換し、ディジタル信号をＢＢ部２００に出力する。
【００２５】
ＲＦ部１００の送信処理においては、ＤＡＣ１２０は、ＢＢ部２００から受け取ったディジタル信号をアナログ信号に変換する。ＬＰＦ１１８は、ＤＡＣ１２０から受け取った信号から、不要な高周波信号を除去する。ＱＭｏｄ部１１６は、ＬＰＦ１１８から受け取った信号で搬送波を変調する。ＢＰＦ１１４は、ＱＭｏｄ部１１６から受け取った信号から、通信システムの帯域外の不要波を除去する。ＰＡ１１２はパワーアンプであり、ＰＦ１１４受け取った信号を、所定のパワーに増幅する。
【００２６】
ＢＢ部２００は、受信信号を処理するブロックとして、ＣＰ(Cyclic Prefix)除去部２０２、ＦＦＴ処理部２０４、デマッピング部２０６およびデコード部２１０を有する。また、ＢＢ部２００は、送信信号を処理するブロックとして、エンコード部２１８、マッピング部２１６、ＩＦＦＴ処理部２１４およびＣＰ付加部２１２を有する。
【００２７】
ＢＢ部２００の受信処理においては、ＣＰ除去部２０２は、ＡＤＣ１１０からディジタル信号を受信し、受信した信号からガードインターバルとして付加されたＣＰを除去する。ＦＦＴ処理部２０４は、ＣＰ除去部２０２から受け取った信号を、時間軸の信号から周波数軸の信号に変換する。デマッピング部２０６は、ＦＦＴ処理部２０４から受け取った位相および振幅からなる信号を、対応するシンボルに関連付ける。デコード部２１０は、デマッピング部２０６から受け取ったデータを復号し、もとのデータを取り出してプロセッサ３００に出力する。
【００２８】
ＢＢ部２００の送信処理においては、エンコード部２１８は、プロセッサ３００から受けとったデータを符号化する。マッピング部２１６は、エンコード部２１８から受け取ったデータを対応する位相および振幅に関連付ける。ＩＦＦＴ処理部２１４は、エンコード部２１８から受け取ったデータを、周波数軸の信号から時間軸の信号に変換する。ＣＰ付加部２１２は、ＩＦＦＴ処理部２１４から受け取ったデータにＣＰを付加し、ＲＦ部１００に出力する。
【００２９】
図７は、本発明の一実施形態に係る図６のＦＦＴ処理部２０４の詳細な構成図である。ＦＦＴ処理部２０４は、ＦＦＴ演算部１０、ビット切り出し部２０およびスケジューラ情報判定部３０を有する。
【００３０】
ＦＦＴ演算部１０は、ＣＰ除去部２０２からＣＰ除去された信号を受け取る。ＦＦＴ演算部１０は、受け取った信号に対しＦＦＴ演算を実行し、時間軸の信号を周波数軸の信号に変換する。ＦＦＴ演算部１０は、ＦＦＴ演算において乗算を繰り返すことにより、最終的に大きな計算誤差が発生することがないように、固定小数点数全体のビット数を増やして、ＦＦＴ演算を実行する。ＦＦＴ演算部１０は、ＦＦＴ演算後のデータを、固定小数点数全体のビット数を増やしたフォーマットのまま、ビット切り出し部２０に出力する。
【００３１】
ビット切り出し部２０は、ＦＦＴ演算部１０から、固定小数点数全体のビット数が増えた状態のデータを受け取る。ビット切り出し部２０は、受け取ったデータから、所定のビット数の固定小数点数を切り出して、デマッピング部２１６に出力する。所定のビット数は、例えば、ＦＦＴ演算部１０に入力される固定小数点数全体のビット数であるが、異なるビット数でも良い。ビット切り出し部２０は、スケジューラ情報判定部３０から、所定のビット数の固定小数点数を切り出す際のビット切り出し位置の情報を受け取る。ビット切り出し部２０は、スケジューラ情報判定部３０から受け取ったビット切り出し位置の情報に基づいて固定小数点数を切り出し、デマッピング部２１６に出力する。
【００３２】
スケジューラ情報判定部３０は、プロセッサ３００から受け取ったスケジューリング情報に基づいてビット切り出し位置を決定し、決定したビット切り出し位置をビット切り出し部２０に出力する。スケジューリング情報には、移動端末がデータ通信に用いているリソースブロックの数の情報が含まれている。ここで、リソースブロック（RB: Resource Block）とは、ＬＴＥシステムにおいて周波数帯域幅を可変とする際の、基本単位である。データ伝送に使用するリソースブロック数が多いときは周波数帯域幅が広く、リソースブロック数が少ないときは周波数帯域幅が狭い。なお、本実施例の周波数帯域幅については、リソースブロックを用いているが、本発明では、使用されている周波数帯域幅の程度に応じてビット切り出し位置が決定されればよい。
【００３３】
ビット切り出し位置の決定において、上位ビット側をビット切り出し位置とした場合、すなわち、固定小数点数の整数部分のビット数を多くし、小数点以下のビット数を少なくした場合は、切り出した固定小数点数のステップは粗くなるが、大きい信号レベルに対応することができる。下位ビット側をビット切り出し位置とした場合、すなわち、固定小数点数の整数部分のビット数を少なくし、小数点以下のビット数を多くした場合は、対応できる信号レベルは小さくなるが、切り出した固定小数点数のステップが細かくなるため、出力する信号レベルが小さい場合に、切り出した固定小数点数のデータの精度が高くなる。
【００３４】
したがって、スケジューラ情報判定部３０は、移動端末がデータ通信に用いているリソースブロックの数が少ない場合、すなわち、周波数帯域幅が狭くＦＦＴ演算部１０が出力する単位周波数あたりの信号レベルが大きい場合は、上位ビット側にビット切り出し位置を決定する。移動端末がデータ通信に用いているリソースブロックの数が多い場合、すなわち、周波数帯域幅が広くＦＦＴ演算部１０が出力するる単位周波数あたりの信号レベルが小さい場合は、下位ビット側にビット切り出し位置を決定する。
【００３５】
図８は、スケジューラ情報判定部３０が、リソースブロックの数に基づいてビット切り出し位置を決定する際の、対応表の一例である。この例は、固定小数点数全体のビット数が１２ビットの固定小数点数から、８ビットの固定小数点数を切り出す場合を示している。スケジューラ情報判定部３０は、移動端末がデータ通信に用いているリソースブロックの数が１〜１２と小さい場合、すなわち、周波数帯域幅が狭い場合は、上位ビット側でビット切り出し位置を決定する。スケジューラ情報判定部３０は、リソースブロックの数が４０〜５０と大きい場合、すなわち、周波数帯域幅が広い場合は、下位ビット側でビット切り出し位置を決定する。
【００３６】
図９は、図８のリソースブロックの数とビット切り出し位置の対応表を図示したものである。図９（ａ）は、リソースブロックの数が１〜１２の場合を示す。図９（ａ）の一番左側に縦に並んでいる０〜７の数字は、ＦＦＴ演算前の時間軸のデータが８ビットの固定小数点数であることを示している。７は上位ビット、０は下位ビットを示す。０〜１１まで並んでいる数字は、ＦＦＴ演算が１２ビットの固定小数点数で実行され、１２ビットの固定小数点数のままビット切り出し部に入力されたものを示している。１１は上位ビット、０は下位ビットを示す。ビット切り出し部２０は、この１２ビットの固定小数点数から８ビットの固定小数点数を切り出す。図９（ａ）では、４〜１１ビットを切り出している。ここで、上位ビット側の８ビットを切り出すことは、切り出した固定小数点数のステップは粗くなるが、大きい信号レベルに対応することができることを意味する。したがって、リソースブロックの数が少ない場合、すなわち、ＦＦＴ演算部１０が出力する信号レベルが大きいときは、図９（ａ）のように上位ビット側をビット切り出し位置として決定することが適している。
【００３７】
図９（ｄ）は、リソースブロックの数が４０〜５０の場合を示す。図９（ｄ）では、１〜８ビットを切り出している。ここで、下位ビット側の８ビットを切り出すことは、対応できる信号レベルは小さくなるが、切り出した固定小数点数のステップが細かくなるため、出力する信号レベルが小さい場合に、切り出した固定小数点数のデータの精度が高くなることを意味する。したがって、リソースブロックの数が多い場合、すなわち、ＦＦＴ演算部１０が出力する信号レベルが小さいときは、図９（ｄ）のように下位ビット側をビット切り出し位置として決定することが適している。
【００３８】
このように、本実施形態によれば、移動端末が送信するデータの周波数帯域幅に応じて、適切な固定小数点数のフォーマットでデータを出力するＦＦＴ演算処理装置を提供することができる。
【００３９】
また、スケジューラ情報判定部３０は、リソースブロックの数が少ない場合は、固定小数点フォーマットを小数点以下のビット数が少ないフォーマットに決定し、リソースブロックの数が多い場合は、固定小数点フォーマットを小数点以下のビット数が多いフォーマットに決定することで、リソースブロックの数が多い場合に、ＦＦＴ処理部２０４が出力する固定小数点数の精度を向上させることができる。
【００４０】
また、スケジューラ情報判定部３０は、基地局から移動端末へ通知するスケジューリング情報を受け取ることにより、複雑な計算処理を必要とせずに、リソースブロックの数の情報を得ることができる。これは、消費電力の低減、チップ面積の小型化という効果を有する。
【００４１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００４２】
例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００４３】
１０  ＦＦＴ演算部
２０  ビット切り出し部
３０  スケジューラ情報判定部
１００  ＲＦ部
１０２  ＬＮＡ
１０４  ＢＰＦ
１０６  Ｑ−Ｄｅｍｏｄ部
１０８  ＶＧＡ
１１０  ＡＤＣ
１１２  ＰＡ
１１４  ＢＰＦ
１１６  Ｑ−Ｍｏｄ部
１１８  ＬＰＦ
１２０  ＤＡＣ
２００  ＢＢ部
２０２  ＣＰ除去部
２０４  ＦＦＴ処理部
２０６  デマッピング部
２１０  デコード部
２１２  ＣＰ付加部
２１４  ＩＦＦＴ処理部
２１６  マッピング部
２１８  エンコード部
３００  プロセッサ
【図１】
2012095119.tif 000003
【図２】
2012095119.tif 000004
【図３】
2012095119.tif 000005
【図４】
2012095119.tif 000006
【図５】
2012095119.tif 000007
【図６】
2012095119.tif 000008
【図７】
2012095119.tif 000009
【図８】
2012095119.tif 000010
【図９】
2012095119.tif 000011